(57)【特許請求の範囲】
【請求項１】
脱穀装置に扱胴と送塵口処理胴とを配置したコンバインにおいて、前記扱胴の側部に送塵口処理胴を平面視で平行に配し、該送塵口処理胴を前低後高に傾斜状に配置し、送塵口処理胴の前部の軸心を扱胴の漏下体の送塵口処理胴側の上り傾斜の延長線より下方に配し、扱胴後部における送塵口処理胴の軸心を、前記延長線より上方に配したことを特徴とするコンバインの脱穀装置。
【請求項２】
脱穀装置に扱胴と送塵口処理胴とを配置したコンバインにおいて、前記扱胴の側部に送塵口処理胴を平面視及び側面視で平行に配し、前記扱胴の下方に配置する漏下体の送塵口処理胴側の上り傾斜の延長線を、送塵口処理胴の前部における送塵口処理胴の軸心よりも上方に位置し、扱胴後部における送塵口処理胴の軸心よりも下方に位置するように構成したことを特徴とするコンバインの脱穀装置。
【発明の詳細な説明】
【０００１】
【発明の属する技術分野】
本発明は、コンバインの扱胴と送塵口処理胴等より成る脱穀装置による脱穀性能をさらに向上させる技術に関する。
【０００２】
【従来の技術】
従来から、刈取部によって刈り取られた穀稈を、フィードチェーンによって受け継ぎ、穂先側を脱穀選別装置上部の扱室内に案内し、扱胴で脱穀し、脱穀された籾藁が、扱胴下方に配設するクリンプ網より揺動選別装置上に漏下し、更に、扱胴によって処理しきれなかった枝梗付着粒や穂切粒等が、クリンプ網後側部に開口した投入口（送塵口）より送塵口処理胴内へ搬送されていた。
この枝梗付着粒等が、該送塵口処理胴で後方に搬送されながら穀粒と藁屑等に処理され、再び揺動選別装置の後部に落下され、該揺動選別装置に落下された穀粒は、揺動選別と風選別とによって一番物、二番物、藁屑とに選別され、選別後の一番物をグレンタンク内に貯留し、二番物を再選別し、藁屑を機体後方より排出するように構成していた。
【０００３】
【発明が解決しようとする課題】
しかし、従来の脱穀装置においては、一度に大量の穀稈が搬送されてくると、扱胴で大量の籾が脱粒され、クリンプ網上に大量の籾が滞留して、クリンプ網から十分に漏下されず、クリンプ網上を籾が後方に搬送され、扱胴の後側部より送塵口処理胴内に投入される籾等の量が増えたり、排藁内に籾が混じった状態となっていた。
前記送塵口処理胴内への投入量が増えると、二番物が増加し、揺動本体の前部に搬送される二番物の量が増え、揺動本体による選別の負担が増加し、選別性能を悪くしていた。その為に、コンバインの処理能力を高め、作業時の走行速度をさらに早くするには、脱穀装置による脱粒性能と漏下性能を高める必要があった。
【０００４】
【課題を解決するための手段】
本発明はこのような問題点を解消するために、次の如く構成したものである。
脱穀装置に扱胴と送塵口処理胴とを配置したコンバインにおいて、前記扱胴の側部に送塵口処理胴を平面視で平行に配し、該送塵口処理胴を前低後高に傾斜状に配置し、送塵口処理胴の前部の軸心を扱胴の漏下体の送塵口処理胴側の上り傾斜の延長線より下方に配し、扱胴後部における送塵口処理胴の軸心を、前記延長線より上方に配したものである。
または、扱胴の側部に送塵口処理胴を平面視及び側面視で平行に配し、前記扱胴の下方に配置する漏下体の送塵口処理胴側の上り傾斜の延長線を、送塵口処理胴の前部における送塵口処理胴の軸心よりも上方に位置し、扱胴後部における送塵口処理胴の軸心よりも下方に位置するように構成したものである。
【０００５】
【発明の実施の形態】
本発明が解決しようとする課題及び解決するための手段は以上の如くであり、次に添付の図面に示した実施例の構成を説明する。
図１はコンバイン全体側面図、図２は脱穀装置と揺動選別装置を示す側面図、図３は本発明の脱穀装置の正面断面図、図４は同じく正面断面図、図５は別形態の脱穀装置の正面断面図である。
【０００６】
図１においてコンバインの全体構成から説明する。
クローラ式走行装置１上に機体フレーム２を載置し、該機体フレーム２の前端に引起し・刈取装置８を昇降可能に配設し、引起し・刈取装置８は前端に分草板３を突出して穀稈を分草し、その後部に引起しケース４を立設して該引起しケース４より突出したタインの回転により穀稈を引き起こして、分草板３後部に配設した刈刃５にて株元を刈り取り、上部搬送装置、下部搬送装置、縦搬送装置６にて後部へ搬送する。
この縦搬送装置６の上端から株元がフィードチェーン７に受け継がれて脱穀装置内に穀稈を搬送し、該フィードチェーン７後端には排藁搬送装置１６が配設され、排藁搬送装置１６後部下方に配設した排藁カッター装置１７にて、搬送されてきた排藁を切断して圃場に放出している。前記脱穀装置の側部には選別後の精粒を貯留するグレンタンク１２が配設され、該グレンタンク１２前部には運転部１９が配設されている。
【０００７】
前記脱穀装置９は、図２に示すように、扱室内に扱胴２０と送塵口処理胴２１とが軸心を略前後方向にして横架され、脱穀装置９下部の、この扱室の下方に揺動選別装置１０が配設されている。
【０００８】
また、前記揺動選別装置１０には、二段式揺動本体５１と唐箕３５とプレファン４１等が配設され、脱穀された籾と籾藁とが比重選別と風選別により一番物と二番物と藁くず等に選別が行なわれている。また、二段式揺動本体５１下方の前後途中位置には、左右方向に一番コンベア２２と二番コンベア２３とが横設されている。前記一番コンベア２２の他側に揚穀コンベア１３が連結されており、一番コンベア２２の流穀板２８上に漏下された一番物は、一番コンベア２２、揚穀コンベア１３を介して、グレンタンク１２に搬送されている。
また、前記二番コンベア２３の他端部に還元コンベア６２が連結されており、該還元コンベア６２の他端の排出口は、後述する横処理胴９０の右端部に配置している。二番コンベア２３の流穀板２９上に漏下された二番物は、二番コンベア２３、還元コンベア６２を介して還元され、再度処理を行うようにしている。
【０００９】
また、前記揺動本体５１は、上方に形成するプレ揺動体７０と、下方に形成する主揺動体８０とで構成されている。前記プレ揺動体７０の前端部を扱胴２０の前端下方に配置し、プレ揺動体７０の後端は送塵口処理胴２１の後部下方まで延出されている。該主揺動体８０の前端部は、プレ揺動体７０前端部より後下方に配置され、主揺動体８０の後端部は送塵口処理胴２１の後部下方に配置している。前記主揺動体８０後部下面が、クランク軸等の揺動駆動機構６９によって揺動駆動可能に連結され、主揺動体８０前部下面に配したローラ６８によって揺動可能に枢支されている。
前記プレ揺動体７０も、前部側面に配したローラ７５によって枢支され、プレ揺動体７０後部がクランク軸等の揺動駆動機構７６によって揺動可能に枢支されている。そして、該主揺動体８０とプレ揺動体７０は相反する方向に揺動駆動され、互いに打ち消し合うようにして振動を低減するようにしている。
【００１０】
前記プレ揺動体７０の前端部には、グレンパン７１が形成されている。該グレンパン７１は、板体を波状にして籾を後方に搬送し易く成形している。該グレンパン７１後部が扱胴２０の前後方向の略中央位置まで延出されている。前記グレンパン７１後部より後方の下面は開放され、グレンパン７１後部の後方には、グレンパン７１に連設するようにチャフ部７２が形成されている。該チャフ部７２は、扱胴２０の後端部の下方まで横設されている。前記チャフ部７２後方には、前後方向に長い棒状体の上面を波上に形成したストローラック７４・７４・・・が配されている。該ストローラック７４・７４・・・の後端をプレ揺動体７０後端まで延出している。
【００１１】
前記主揺動体８０の前部にはガイドパン８１が形成されている。該ガイドパン８１の後部をプレ揺動体７０のグレンパン７１後部下方まで延出させている。前記ガイドパン８１の後下部を一段下げて第二グレンパン８２が形成されている。前記ガイドパン８１と第二グレンパン８２は、板体を波状にして籾を後方に搬送し易く成形している。前記第二グレンパン８２前部には、選別風導入口８３が開口され、第二グレンパン８２後部をプレ揺動体７０のチャフ部７２の前後途中位置の下方まで延出させている。
前記第二グレンパン８２の後部より後下方に膨出して膨出部８４を成形し、該膨出部８４下面には落下口８５が開口されている。また、前記第二グレンパン８２の後方には、第二グレンパン８２に連設するようにチャフ部８６が形成されている。前記チャフ部８６の後部には固定チャフ部８８が形成されている。前記チャフ部８６下部位置には、前記落下口８５の前部より後方途中位置まで網状のグレンシーブ８９によって被装され、一番コンベア２２の上方が被装されている。
【００１２】
前記主揺動体８０の前部には、横処理胴９０が横設され、前記還元コンベア６２より還元された二番物等をフィードチェーン７側に向かって左側に搬送し、ガイドパン８１前部に二番物等を投入するようにしている。また、前記主揺動体８０の後部には、第二吸引ファン９１が横設されている。該第二吸引ファン９１は、揺動本体５１の全幅に渡って形成され、吸引力が向上されている。更に、前記プレ揺動体７０後部上方には吸引ファン３０が横設されている。
【００１３】
また、前記主揺動体８０の前下方にプレファン４１が配され、主揺動体８０の前後方向途中位置の下方に唐箕３５が配置され、前記選別風導入口８３から導入されるプレファン４１からの風がガイドパン８１下面と第二グレンパン８２上面との間を通り、ガイドパン８１から第二グレンパン８２に落下される籾等を後方に吹き飛ばしている。
さらに、ガイドパン８１下面を通過した風の一部が、プレ揺動体７０のチャフ部７２から選別風として吹き上げられている。プレ揺動体７０の揺動と選別風とで、籾等がチャフ部７２で比重選別され、比較的大きな藁屑や二番物の一部を後方に搬送され、ストローラック７４・７４・・・上で藁屑がほぐされ、大きな藁屑が吸引ファン３０に吸引され、機外へ排出されている。
【００１４】
そして、前記チャフ部７２の比重選別によって一番物と二番物とが混じり合って、主揺動体８０の第二グレンパン８２とチャフ部８６前部に漏下されている。前記ストローラック７４・７４・・・より下方に二番物や比較的小さい藁屑等が落下され主揺動体８０のチャフ部８６後部と固定チャフ部８８上に落下されている。
【００１５】
また、前記主揺動体８０のガイドパン８１下面を通過し、上方に吹き上げられなかった残りの風が主揺動体８０のチャフ部８６上に搬送され、チャフ部８６上の籾等を風で選別するようにしている。更に、前記唐箕３５からの風が、落下口８５を通過してチャフ部５５から選別風として吹き上げられ、主揺動体８０の揺動と選別風とでチャフ部８６による比重選別が行われる。
前記チャフ部８６の前部より、一番コンベア２２の流穀板２８上に、一番物が漏下され、チャフ部８６後部と固定チャフ部８８より二番物と、選別しきれなかった一番物とが二番コンベア２３の流穀板２９上に漏下されている。小さい藁屑が第二吸引ファン９１によって吸引されている。よって、機外に排出され、揺動体７０・８０によって大量の籾等が一番物と二番物と藁屑等に選別されている。
【００１６】
次に、脱穀装置９の構成について説明する。
前記扱室の扱胴２０は従来より長く形成され、扱胴２０周囲に扱歯２７・２７・・・を植設している。前記扱胴２０下部周囲には、漏下体としてのクリンプ網３１を設けて籾や小さな藁くず等のみを漏下し、漏下した籾等が選別室内で選別されている。また、前記送塵口処理胴２１を、扱胴２０のグレンタンク１２側に配設し、該送塵口処理胴２１の前端を扱胴２０の前後中央位置より若干前側方に配設し、送塵口処理胴２１の後部を扱胴２０の後端部よりさらに後方に延出し、脱穀装置９の後端部に位置させている。
【００１７】
よって、前後方向に長く形成した扱胴２０によって、穀稈が通過する時間を長くすることができ、扱胴２０による脱粒性能が向上される。さらに、側面視において前記送塵口処理胴２１前部から中央部と扱胴２０の中途部から後部の長い範囲がラップされ、この送塵口処理胴２１前部から中央部を平行処理胴としている。
【００１８】
また、図３、図４に示すように、前記送塵口処理胴２１外周面の上方を処理胴カバー１１０によって被装し、送塵口処理胴２１外周面の下方を処理胴側クリンプ網１１１によって被装している。前記処理胴カバー１１０の扱胴２０側端部（図３の右端部）と処理胴側クリンプ網１１１の右端部との間が開放され、この開放された空間を送塵口処理胴２１への投入口１１２（送塵口）としている。
【００１９】
更に、前記送塵口処理胴２１の側方に位置する漏下体であるクリンプ網３１は、図３、図４の正面断面視に示すように、円弧状に形成され、扱胴２０の正面視右側（フィードチェーン７側）下方から、扱胴２０左途中位置の下方までを被装している。該クリンプ網３１の左端部に、ガイド板１０７が固設されている。該ガイド板１０７の右端部はクリンプ網３１の左端部に固設され、ガイド板１０７の左端部は前記投入口１１２下部に固設され、ガイド板１０７の送塵口処理胴２１側が上り傾斜状（正面視で左側が高くなるように傾斜状）に配置され、該ガイド板１０７に沿って枝梗付着粒等を左上方の投入口１１２に案内している。
なお、前記ガイド板１０７を平面状に形成したクリンプ網３１によって構成することもできる。
【００２０】
そして、本発明において、前記送塵口処理胴２１の軸心方向は、図２に示すように、前低後高に傾斜させている。従って、前記送塵口処理胴２１前部は、図３に示すように、軸心の配設位置が低くなり、送塵口処理胴２１前部の軸心が、投入口１１２下部を形成するガイド板１０７の延長線１２０（接線）より下方に位置される。
よって、この延長線１２０の直上方における送塵口処理胴２１前部の扱歯は、送塵口処理胴２０の上端位置より側方の投入口１１２に向かうように回転されており、前記ガイド板１０７に沿って案内され、投入口１１２より投入された枝梗付着粒等の多くが扱胴２０側に戻されている。即ち、送塵口処理胴２１前部では、延長線１２０より上方となる送塵口処理胴２１の面積が少なくなり、枝梗付着粒等を送塵口処理胴２１内に誘導する作用を少なくしている。
【００２１】
そして、前記扱胴２０後部側方に位置する送塵口処理胴２１前後中央部は、図４に示すように、軸心の配設位置が高くなり、前記投入口１１２下部を形成するガイド板１０７の延長線１２０より上方に送塵口処理胴２１の軸心が位置される。この延長線１２０より直上方における送塵口処理胴２１中央部の扱歯は、投入口１１２側より送塵口処理胴２０の下端位置に向かうように回転されており、投入口１１２より投入される枝梗付着粒等を送塵口処理胴２１内に効率良く誘導している。即ち、送塵口処理胴２１中央部（扱胴２０後部側方の送塵口処理胴２１）では、延長線１２０より上方となる送塵口処理胴２１の面積が大きくなり、枝梗付着粒等を送塵口処理胴２１内に誘導する作用を大きくしている。
【００２２】
従って、前記送塵口処理胴２１内に枝梗付着粒等を誘導する作用が、送塵口処理胴２１の前方側より後方側の方が大きくなり、送塵口処理胴２１前部においては、扱胴２０によって脱粒された枝梗付着粒等の一部のみを送塵口処理胴２１内に誘導している。扱胴２０後部側方の送塵口処理胴２１中央部においては、扱胴２０によって脱粒された大部分の枝梗付着粒等を送塵口処理胴２１内に誘導している。
【００２３】
また、脱粒された枝梗付着粒等を投入口１１２側にガイドする別形態の構成について説明する。前記送塵口処理胴２１を傾斜させることなく、扱胴２０と平行状に配置し、図３、図５に示すように、前記投入口１１２へ枝梗付着粒等をガイドする前記ガイド板１０７・１０８の傾斜角度を前後で変えるようにしている。図３に示すように、送塵口処理胴２１前部側方のガイド板１０７の傾斜角度を急傾斜状に配置し、ガイド板１０７の延長線１２０より下方に送塵口処理胴２１前部の軸心が位置されている。そして、図５に示すように、送塵口処理胴２１後部側方のガイド板１０８の傾斜角度をガイド板１０７の傾斜角度より緩い傾斜状に配置し、ガイド板１０８の延長線１２１より上方に送塵口処理胴２１後部の軸心が位置されている。尚、前記ガイド板１０７・１０８は数に限定するものでなく、前後方向に傾斜角度の異なる複数枚のガイド板を配置する構成にすることもできる。更に、単一のガイド板を湾曲させて、ガイド板の前後で傾斜角度を変える構成にすることもできる。
【００２４】
従って、この傾斜角度の異なるガイド板１０７・１０８を用いることによって、送塵口処理胴２１を前低後高に傾斜させた構成と同様に、送塵口処理胴２１前部においては、扱胴２０によって脱粒された枝梗付着粒等の一部のみが送塵口処理胴２１内に誘導される。送塵口処理胴２１中央部では、扱胴２０によって脱粒された大部分の枝梗付着粒等が送塵口処理胴２１内に誘導される。
【００２５】
このように構成したことによって、前記送塵口処理胴２１前半部では、送塵口処理胴２１前部より前後途中位置になるに従って、扱胴２０側から送塵口処理胴２１内に投入される枝梗付着粒等の量が多くなっている。前記送塵口処理胴２１の前半部では、投入された枝梗付着粒等を後方に搬送しながら処理し、送塵口処理胴２１前半部を平行処理胴として使用している。
【００２６】
そして、前記送塵口処理胴２１前半部で処理できなかった籾や藁屑等がそのまま送塵口処理胴２１後半部に搬送される。一方、扱胴２０によって処理しきれなかった枝梗付着粒等が扱胴２０後部側方より送塵口処理胴２１前後途中部に投入され、送塵口処理胴２１前半部から搬送されてくる藁屑等と合わせて送塵口処理胴２１後半部に搬送されている。該送塵口処理胴２１後半部で、藁屑や枝梗付着粒等を後方に搬送しながら処理し、送塵口処理胴２１後端部より藁屑が機外に排出されている。よって、送塵口処理胴２１の前半部と後半部とで働きが異なるようになり、扱胴２０による漏下性能を向上させるとともに、枝梗付着粒等の処理が確実に行われる。
【００２７】
【発明の効果】
以上のように構成したので、本発明は次のような効果を奏するものである。
即ち、請求項１記載のように、脱穀装置に扱胴と送塵口処理胴とを配置したコンバインにおいて、前記扱胴の側部に送塵口処理胴を平面視で平行に配し、該送塵口処理胴を前低後高に傾斜状に配置し、送塵口処理胴の前部の軸心を扱胴の漏下体の送塵口処理胴側の上り傾斜の延長線より下方に配し、扱胴後部における送塵口処理胴の軸心を、前記延長線より上方に配したので、送塵口処理胴前部においては、枝梗付着粒等を送塵口処理胴内に誘導する作用が小さく、扱胴後部においては、枝梗付着粒等を送塵口処理胴内に誘導する作用が大きくなり、よって、送塵口処理胴前部より後方になるに従って、扱胴側から送塵口処理胴内に投入される枝梗付着粒等の量が徐々に多くなり、送塵口処理胴内で詰まることがなく、後方に搬送しながら確実に処理を行うことができる。また、扱胴後部では脱粒された枝梗付着粒等の量が少なくなり、脱穀性能が向上し、作業能率の大幅な向上が可能となる。
【００２８】
また、請求項２記載のように、扱胴の側部に送塵口処理胴を平面視及び側面視で平行に配し、前記扱胴の下方に配置する漏下体の送塵口処理胴側の上り傾斜の延長線を、送塵口処理胴の前部における送塵口処理胴の軸心よりも上方に位置し、扱胴後部における送塵口処理胴の軸心よりも下方に位置するように構成したので、送塵口処理胴の前部では枝梗付着粒等を送塵口処理胴内に誘導する作用が小さく、これに対して扱胴後部では枝梗付着粒等を送塵口処理胴内に誘導する作用が大きくなり、よって、送塵口処理胴前部より前後途中位置になるにつれて、扱胴側から送塵口処理胴内に投入される枝梗付着粒等の量が徐々に多くなり、送塵口処理胴内で詰まることがなく、後方に搬送しながら確実に処理を行うことができ、脱穀性能を向上し、作業能率の大幅な向上が可能となる。また、漏下体の形状を変更するだけなので容易に構成できる。
【図面の簡単な説明】
【図１】  コンバイン全体側面図である。
【図２】  脱穀装置と本発明の揺動選別装置を示す側面図である。
【図３】  本発明の脱穀装置の正面断面図である。
【図４】  同じく正面断面図である。
【図５】  別形態の脱穀装置の正面断面図である。
【符号の説明】
９  脱穀装置
２０  扱胴
２１  送塵口処理胴
３０  吸引ファン
３１  クリンプ網（漏下体）
１０７  ガイド板（漏下体）
１１２  投入口
１２０  延長線
【図１】
0003712509.tif 000002
【図２】
0003712509.tif 000003
【図３】
0003712509.tif 000004
【図４】
0003712509.tif 000005
【図５】
0003712509.tif 000006